(57)【要約】【課題】炉内に排ガスを循環して吹き込む火格子式廃棄物焼却炉において、安定な燃焼を行わせ、ＮＯｘの発生を低減することができる廃棄物焼却炉を提供する。【解決手段】主燃焼室７の燃焼ストーカ４の前段側においては、火格子の上で、ごみ２の熱分解が盛んに行われ、熱分解の結果生成された燃焼ガスが火炎１４を形成して燃焼している。この領域を主燃焼領域といい、火炎１４を形成する燃焼が終了する点が燃え切り点である。燃え切り点の後では、熱分解が完了して揮発分が放出された残滓が、固体燃焼し、いわゆるチャー燃焼が行われている。排ガス又は排ガスと空気の混合気体を主燃焼室に吹き込むノズル１５を、このチャー燃焼が行われている領域の火格子の上部に設けている。【選択図】　図１
2004077087.tif 000002
【特許請求の範囲】
【請求項１】
火格子式廃棄物焼却炉であって、排ガス、又は排ガスと空気の混合ガスを主燃焼室に吹き込むガス吹き込み手段を有し、当該ガス吹き込み手段は、チャー燃焼が行われている領域において、各ストーカの上部に設けられていることを特徴とする廃棄物焼却炉。
【請求項２】
火格子式廃棄物焼却炉であって、排ガス、又は排ガスと空気の混合ガスを主燃焼室に吹き込むガス吹き込み手段を有し、当該ガス吹き込み手段は、燃焼ストーカの中央から、後燃焼ストーカの終点までの範囲において、各ストーカの上部に設けられていることを特徴とする廃棄物焼却炉。
【請求項３】
火格子式廃棄物焼却炉であって、排ガス、又は排ガスと空気の混合ガスを主燃焼室に吹き込むガス吹き込み手段を有し、当該ガス吹き込み手段は、廃棄物の燃え切り点から、後燃焼ストーカの終点までの範囲において、各ストーカの上部に設けられていることを特徴とする廃棄物焼却炉。
【請求項４】
火格子式廃棄物焼却炉であって、排ガス、又は排ガスと空気の混合ガスを主燃焼室に吹き込むガス吹き込み手段を有し、当該ガス吹き込み手段は、廃棄物の熾燃焼が行われている領域において、各ストーカの上部に設けられていることを特徴とする廃棄物焼却炉。
【請求項５】
火格子式廃棄物焼却炉であって、排ガス、又は排ガスと空気の混合ガスを炉内に吹き込むガス吹き込み手段を有し、当該ガス吹き込み手段は、灰排出シュートの上方空間に設けられていることを特徴とする廃棄物焼却炉。
【請求項６】
火格子式廃棄物焼却炉であって、主燃焼室から排出されるガスを２次燃焼させる２次燃焼室を有するものにおいて、排ガス、又は排ガスと空気の混合ガスを炉内に吹き込むガス吹き込み手段を有し、当該ガス吹き込み手段は、前記２次燃焼室入り口又は主燃焼室出口に設けられていることを特徴とする廃棄物焼却炉。
【請求項７】
火格子式廃棄物焼却炉であって、中間天井を有し、当該中間天井によって排ガスが流れる煙道が、炉出側下部の主煙道と、炉の中央上部の副煙道に別れているものにおいて、排ガス、又は排ガスと空気の混合ガスを炉内に吹き込むガス吹き込み手段を有し、当該ガス吹き込み手段は、前記主煙道部に設けられていることを特徴とする廃棄物焼却炉。
【請求項８】
火格子式廃棄物焼却炉であって、排ガス、又は排ガスと空気の混合ガスを主燃焼室に吹き込む第１と第２のガス吹き込み手段を有し、当該第１のガス吹き込み手段は、チャー燃焼が行われている領域、燃焼ストーカの中央から後燃焼ストーカの終点までの間の領域、廃棄物の燃え切り点から後燃焼ストーカの終点までの間の領域、及び廃棄物の熾燃焼が行われている領域の少なくとも１つの領域において、各ストーカの上部に設けられており、前記第２のガス吹き込み手段は、灰排出シュートの上方空間、２次燃焼室入り口、及び主燃焼室出口の少なくとも１箇所に設けられていることを特徴とする廃棄物焼却炉。
【請求項９】
火格子式廃棄物焼却炉であって、中間天井を有し、当該中間天井によって排ガスが流れる煙道が、炉出側下部の主煙道と、炉の中央上部の副煙道に別れているものにおいて、排ガス、又は排ガスと空気の混合ガスを主燃焼室に吹き込む第１と第２のガス吹き込み手段を有し、当該第１のガス吹き込み手段は、チャー燃焼が行われている領域、燃焼ストーカの中央から後燃焼ストーカの終点までの間の領域、廃棄物の燃え切り点から後燃焼ストーカの終点までの間の領域、及び廃棄物の熾燃焼が行われている領域の少なくとも１つの領域において、各ストーカの上部に設けられており、前記第２のガス吹き込み手段は、前記主煙道部に設けられていることを特徴とする廃棄物焼却炉。
【発明の詳細な説明】
【０００１】
【発明の属する技術分野】
本発明は、都市ごみ等の廃棄物を焼却する火格子式廃棄物焼却炉に関するものである。
【０００２】
【従来の技術】
都市ごみ等の廃棄物を焼却処理する焼却炉として、火格子式又は流動床式廃棄物焼却炉が広く用いられている。その代表的なものの概略図を図６に示す。ホッパ１に投入されたごみ２は、シュートを通して乾燥ストーカ３に送られ、下からの空気と炉内の輻射熱により乾燥されると共に、昇温されて着火する。着火して燃焼を開始したごみ２は、燃焼ストーカ４に送られ、下から送られる燃焼空気によりガス化され、一部は燃焼する。そして、更に後燃焼ストーカ５で、未燃分が完全に燃焼する。そして、燃焼後に残った灰は、主灰シュート６より外部に取出される。
【０００３】
燃焼は主燃焼室７内で行われ、燃焼排ガスは、中間天井８の存在により、主煙道９と副煙道１０に別れて排出される。主煙道９を通る排ガスには、未燃ガスはほとんど含まれず、酸素が１０％程度以上含まれている。副煙道１０を通る排ガスには未燃ガスが８％程度含まれている。これらの排ガスは、２次燃焼室１１で混合され、２次的な燃焼が行われて未燃ガスが完全に燃焼する。２次燃焼室１１からの排ガスは、廃熱ボイラ１３に送られ、熱交換された後に減温塔、バグフィルタ等を経由して外部に放出される。
【０００４】
このような火格子式廃棄物焼却炉において、廃棄物を焼却処理する場合、廃棄物が性状の異なる数多くの物質からなるため、炉内の燃焼状態を一定に維持することは困難であり、主燃焼室７内の温度や燃焼ガスの濃度の分布が時間的、空間的に不均一となることは避けられない。
【０００５】
さらに、火炎の状態が不安定であると、火炎が吹き飛びやすく、高負荷燃焼が困難であるという問題点がある。
【０００６】
このような問題点を有効に解決する方法として、本発明者は、炉内の対向する位置に、気体を噴出すためのノズルが１対又は複数対設け、各ノズルからの気体の噴出し方向を、噴出される気体によって、炉内によどみ領域、旋回領域の少なくとも１方が形成されるような方向とする廃棄物焼却炉の操業方法発明を行った。この発明は、特開２００１−１０８２２０号公報に開示されている（特許文献１）。
【０００７】
この先願発明においては、対向するノズルから噴出された気体により、炉内によどみ領域、旋回領域の少なくとも１方が形成されるようにする。
【０００８】
「よどみ領域」とは、燃焼ガスと空気との混合気体（炉内ガス）の動きが遅く滞留している部分のことであり、「旋回領域」とは、炉内ガスが旋回流を形成している領域のことである。
【０００９】
よどみ領域が形成されると、この領域の前方において火炎が定在しやすくなり、かつ、炉内ガスの滞留時間が長くなって、火炎が安定する。よって、ＣＯ、ＨＣ等の未燃ガスの濃度が低下し、かつダイオキシン類の発生が減少すると共に、炉内内壁近傍の局所高温領域が減少するので、耐火物の長寿命化が実現できる。
【００１０】
また、その分排ガス温度の平均値を高めることができ、廃熱ボイラの高効率運転による発電効率のアップを図ることができる。かつ、空気比の制御可能範囲が拡大するので、２段燃焼を強化することができ、低ＮＯｘ化を図ることができる。
【００１１】
旋回領域が形成されると、ガス同士の混合が促進され、局所高温領域及び局所低温領域が減少する。よって、耐火物の長寿命化が実現できると共に、排ガス温度の平均値を高めることができるので、廃熱ボイラの高効率運転による発電効率のアップを図ることができる。
【００１２】
このような目的のために炉内に吹き込む気体として、特開２００１−１０８２２０号公報では、廃棄物焼却炉の排ガスを利用することを提案している。これは、排ガス中に含まれる顕熱を有効利用しようとするものである。このように、排ガス中に含まれる顕熱を利用して熱効率を上げるために、排ガスの一部を循環させて炉内に吹き込むことは、特開２００１−１０８２２０号公報に記載されるように、よどみ領域や旋回領域を作る場合に限らず、一般的な省エネルギー方法として周知のものである。
【００１３】
【特許文献１】
特開２００１−１０８２２０号公報
【００１４】
【発明が解決しようとする課題】
しかしながら、廃棄物焼却炉の場合には、一般的な燃焼炉と異なり、排ガス循環を行う場合には以下のような問題点がある。すなわち、一般的な燃焼炉と異なり、廃棄物焼却炉においては、主燃焼室での燃焼状態が安定していない。そのため、火炎温度が局所的に上昇して空気中の窒素が酸化し、ＮＯｘの発生が急増したり、廃棄物が熱分解されてガスとして燃焼した後の残滓であるチャー中に残存する窒素分から、高温下でＮＯｘが発生したりするという問題点があった。
【００１５】
本発明はこのような事情に鑑みてなされたもので、炉内に排ガスを循環して吹き込む火格子式廃棄物焼却炉において、安定な燃焼を行わせ、ＮＯｘの発生を抑制することができる廃棄物焼却炉を提供することを課題とする。
【００１６】
【課題を解決するための手段】
前記課題を解決するための第１の手段は、火格子式廃棄物焼却炉であって、排ガス、又は排ガスと空気の混合ガスを主燃焼室に吹き込むガス吹き込み手段を有し、当該ガス吹き込み手段は、チャー燃焼が行われている領域において、各ストーカの上部に設けられていることを特徴とする廃棄物焼却炉（請求項１）である。
【００１７】
チャー燃焼とは、廃棄物が熱分解して揮発分が放出された残滓（チャー）が燃焼（固体燃焼）している状態のことを言う。この場合に、チャー燃焼が行われている領域が高温で酸化性雰囲気であると、チャー中の窒素分が反応してＮＯｘが生成する。このチャー中の窒素と酸素の反応を抑制するには、チャー燃焼領域の温度を低下させることと、チャー燃焼領域の雰囲気を還元性雰囲気に近づけ、ＮＯｘへの転換率を下げることが有効である。
【００１８】
本手段においては、廃棄物焼却炉からの排ガス、又は排ガスと空気の混合ガスを、チャー燃焼が行われている領域において、各ストーカの上部に設けられたガス吹き込み手段（ノズル等）から吹き込むことにより、チャー燃焼領域の温度を下げ、かつ、チャー燃焼領域の雰囲気を還元性雰囲気に近くできるので、ＮＯｘの発生を低減させることができる。特に、排ガス、又は排ガスと空気の混合気体中の酸素濃度を１５％以下とすることにより、チャー燃焼領域の温度が低下すると共に、チャー中のＮ分のＮＯｘへの転換率が抑えられ、その結果、ＮＯｘの発生が抑制される。
【００１９】
廃棄物焼却炉から排出される排ガス、又は排ガスと空気の混合気体の酸素濃度を１０％以下とすると、チャー燃焼領域の雰囲気を確実に還元性雰囲気にできるので好ましい。また、廃棄物焼却炉からの排ガスとして、排ガス中のダストを集塵器により除塵した排ガスを吹き込むようにすることが、配管にダストが付着して閉塞する等のダストトラブルを防止できるので好ましい。
【００２０】
また、排ガス中には、ＨＣｌ、ＳＯｘ等の酸性ガスが含まれているので、これらに由来する酸露点腐食を回避するように、排ガスの温度を酸露点温度以上にすることが好ましい。酸性ガスを処理した後の排ガスを用いる場合には、このように温度を制御する必要が無いことは言うまでもない。
【００２１】
還元性雰囲気にするという意味だけからすると、排ガスをそのまま吹き込んだ方が好ましいが、燃焼ストーカで廃棄物が熱分解されて発生したガスの未燃分が炉内に残っていることがある。よって、この未燃分を燃焼させるために酸素を補給する必要がある場合は、排ガスに空気を混合したものを吹き込んで、燃焼状態を改善することができる。
【００２２】
前記課題を解決するための第２の手段は、火格子式廃棄物焼却炉であって、排ガス、又は排ガスと空気の混合ガスを主燃焼室に吹き込むガス吹き込み手段を有し、当該ガス吹き込み手段は、燃焼ストーカの中央から、後燃焼ストーカの終点までの範囲において、各ストーカの上部に設けられていることを特徴とする廃棄物焼却炉（請求項２）である。
【００２３】
燃焼ストーカ上では、廃棄物のガス化と燃焼が行われており、その中央部より後側からチャー燃焼が開始する場合がある。また、後燃焼ストーカ上では、主としてチャー燃焼が行われる。よって、ガス吹き込み手段をこの領域に設けることにより、前記第１の手段の効果を奏するようにすることができる。
【００２４】
前記課題を解決するための第３の手段は、火格子式廃棄物焼却炉であって、排ガス、又は排ガスと空気の混合ガスを主燃焼室に吹き込むガス吹き込み手段を有し、当該ガス吹き込み手段は、廃棄物の燃え切り点から、後燃焼ストーカの終点までの範囲において、各ストーカの上部に設けられていることを特徴とするもの（請求項３）である。
【００２５】
燃え切り点とは、火炎を伴う燃焼が完了する点であり、燃え切り点より後の領域がチャー燃焼の領域となる。よって、ガス吹き込み手段をこの領域に設けることにより、前記第１の手段の効果を奏するようにすることができる。
【００２６】
前記課題を解決するための第４の手段は、火格子式廃棄物焼却炉であって、排ガス、又は排ガスと空気の混合ガスを主燃焼室に吹き込むガス吹き込み手段を有し、当該ガス吹き込み手段は、廃棄物の熾燃焼が行われている領域において、各ストーカの上部に設けられていることを特徴とするもの（請求項４）である。
【００２７】
熾燃焼とは、廃棄物中の未燃分やチャーが火炎を形成せずに燃焼する（固体燃焼している）ことである。よって、ガス吹き込み手段を、廃棄物の熾燃焼が行われている領域において、各ストーカの上部に設けることにより、前記第１の手段の作用効果を奏することができる。
【００２８】
前記課題を解決するための第５の手段は、火格子式廃棄物焼却炉であって、排ガス、又は排ガスと空気の混合ガスを炉内に吹き込むガス吹き込み手段を有し、当該ガス吹き込み手段は、灰排出シュートの上方空間に設けられていることを特徴とするもの（請求項５）である。
【００２９】
灰排出シュートは前述のように炉尻に設けられている。炉尻の後燃焼ストーカでチャー燃焼が行われているが、火格子下からの吹き込み空気により酸化性雰囲気となっているためチャー中のＮ分がＮＯｘへ転換する可能性がある。よって、この部分に排ガス、又は排ガスと空気の混合ガスを吹き込むことにより、雰囲気の温度と酸素濃度を下げ、チャー中のＮ分のＮＯｘへの転換を抑制することができる。
【００３０】
前記課題を解決するための第６の手段は、火格子式廃棄物焼却炉であって、主燃焼室から排出されるガスを２次燃焼させる２次燃焼室を有するものにおいて、排ガス、又は排ガスと空気の混合ガスを炉内に吹き込むガス吹き込み手段を有し、当該ガス吹き込み手段は、前記２次燃焼室入り口又は主燃焼室出口に設けられていることを特徴とするもの（請求項６）である。
【００３１】
２次燃焼室入り口又は主燃焼室出口付近における主燃焼室からのガスにはダストが存在する。そして、この領域は、火格子下からの吹き込み空気及び２次燃焼空気の少なくとも一方の影響により酸化性雰囲気となっているため、ダスト中のＮ分がＮＯｘへと転換してＮＯｘを発生する。よって、この部分に排ガス、又は排ガスと空気の混合ガスを吹き込むことにより、雰囲気の温度と酸素濃度を下げ、ダスト中のＮ分のＮＯｘへの転換を抑制することができる。
【００３２】
前記課題を解決するための第７の手段は、火格子式廃棄物焼却炉であって、中間天井を有し、当該中間天井によって排ガスが流れる煙道が、炉出側下部の主煙道と、炉の中央上部の副煙道に別れているものにおいて、排ガス、又は排ガスと空気の混合ガスを炉内に吹き込むガス吹き込み手段を有し、当該ガス吹き込み手段は、前記主煙道部に設けられていることを特徴とするもの（請求項７）である。
【００３３】
主煙道も前述のように炉尻に設けられている。この主煙道領域にもダストが存在し、この領域が酸化性雰囲気であると、ダスト中のＮ分がＮＯｘへ転換する。よって、この部分に排ガス、又は排ガスと空気の混合ガスを吹き込むことにより、雰囲気の温度と酸素濃度を下げ、ダスト中のＮ分のＮＯｘへの転換を抑制することができる。
【００３４】
前記課題を解決するための第８の手段は、火格子式廃棄物焼却炉であって、排ガス、又は排ガスと空気の混合ガスを主燃焼室に吹き込む第１と第２のガス吹き込み手段を有し、当該第１のガス吹き込み手段は、チャー燃焼が行われている領域、燃焼ストーカの中央から後燃焼ストーカの終点までの間の領域、廃棄物の燃え切り点から後燃焼ストーカの終点までの間の領域、及び廃棄物の熾燃焼が行われている領域の少なくとも１つの領域において、各ストーカの上部に設けられており、前記第２のガス吹き込み手段は、灰排出シュートの上方空間、２次燃焼室入り口、及び主燃焼室出口の少なくとも１箇所に設けられていることを特徴とするもの（請求項８）である。
【００３５】
本手段は、前記第１の手段から第４の手段のうち少なくとも１つの手段と、前記第５の手段と第６の手段のうち少なくとも１つの手段を組み合わせたものである。よって、組み合わされたそれぞれの手段が有する作用効果を組み合わせた作用効果を奏することができる。
【００３６】
前記課題を解決するための第９の手段は、火格子式廃棄物焼却炉であって、中間天井を有し、当該中間天井によって排ガスが流れる煙道が、炉出側下部の主煙道と、炉の中央上部の副煙道に別れているものにおいて、排ガス、又は排ガスと空気の混合ガスを主燃焼室に吹き込む第１と第２のガス吹き込み手段を有し、当該第１のガス吹き込み手段は、チャー燃焼が行われている領域、燃焼ストーカの中央から後燃焼ストーカの終点までの間の領域、廃棄物の燃え切り点から後燃焼ストーカの終点までの間の領域、及び廃棄物の熾燃焼が行われている領域の少なくとも１つの領域において、各ストーカの上部に設けられており、前記第２のガス吹き込み手段は、前記主煙道部に設けられていることを特徴とするもの（請求項９）である。
【００３７】
本手段は、火格子式廃棄物焼却炉であって、中間天井を有し、当該中間天井によって排ガスが流れる煙道が、炉出側下部の主煙道と、炉の中央上部の副煙道に別れているものにおいて、前記第１の手段から第４の手段のうち少なくとも１つの手段と、前記第７の手段とを組み合わせたものである。よって、組み合わされたそれぞれの手段が有する作用効果を組み合わせた作用効果を奏することができる。
【００３８】
【発明の実施の形態】
以下、本発明の実施の形態の例を、図を用いて説明する。図１は、本発明の第１の実施の形態を示す図である。ホッパ１に投入されたごみ２は、シュートを通して乾燥ストーカ３に送られ、下からの空気と炉内の輻射熱により乾燥されると共に、昇温されて着火する。着火して燃焼を開始したごみ２は、燃焼ストーカ４に送られ、下から送られる燃焼空気によりガス化され、一部は燃焼する。そして、更に後燃焼ストーカ５で、未燃分が完全に燃焼する。そして、燃焼後に残った灰は、主灰シュート６より外部に取り出される。
【００３９】
燃焼は主燃焼室７内で行われ、燃焼排ガスは２次燃焼室１１で２次的な燃焼が行われて未燃分が完全に燃焼する。２次燃焼室１１からの排ガスは、廃熱ボイラ１３に送られ、熱交換された後に減温塔、バグフィルタ等を経由して外部に放出される。
【００４０】
主燃焼室７の燃焼ストーカ４の前段側においては、火格子の上で、ごみ２の乾燥と熱分解が盛んに行われ、熱分解により生成されたガスが火炎１４を形成して燃焼している。この領域を主燃焼領域といい、火炎１４を形成する燃焼が終了する点が燃え切り点である。燃え切り点の後では、揮発分の放出と熱分解が完了し、残滓が固体燃焼し、いわゆるチャー燃焼が行われている。
【００４１】
図１に示す実施の形態においては、排ガス又は排ガスと空気の混合気体を主燃焼室に吹き込むノズル１５を、このチャー燃焼が行われている領域の火格子の上部に設けている。その設置位置は、図１の場合、燃焼ストーカ４の中央から後燃焼ストーカの終点間での範囲であり、かつ、廃棄物の燃え切り点から、後燃焼ストーカの終点までの範囲でもある。さらに、廃棄物の熾燃焼が行われている領域でもある。このような位置に排ガス又は排ガスと空気の混合気体を吹き込むことにより、前述のように、チャー中のＮ分のＮＯｘへの転換が抑制され、ＮＯｘの発生が抑制される。
【００４２】
図２は、本発明の第２の実施の形態を示す図であり、廃棄物焼却炉の構成は図１に示したものと同じである。本実施の形態においては、排ガス又は排ガスと空気の混合気体を主燃焼室に吹き込むノズル１５を、灰排出シュートである主灰シュート６の上方空間に設けている。このようにすることにより、前述のように、炉尻の後燃焼ストーカの雰囲気の温度と酸素濃度を下げ、チャー中のＮ分のＮＯｘへの転換を抑制することができる。
【００４３】
図３は、本発明の第３の実施の形態を示す図であり、廃棄物焼却炉の構成は図１に示したものと同じである。本実施の形態においては、排ガス又は排ガスと空気の混合気体を主燃焼室に吹き込むノズル１５を、２次燃焼室１１の入り口に設けている。このようにすることにより、前述のように、この部分で温度と酸素濃度を下げ、ダスト中のＮ分のＮＯｘへの転換を抑制することができる。
【００４４】
図４は、本発明の第４実施の形態を示す図である。この実施の形態においては、主燃焼室７内に中間天井８を有しており、燃焼は主燃焼室７で行われる。燃焼排ガスは、中間天井８の存在により、主煙道９と副煙道１０に別れて排出され、２次燃焼室１１で混合されて、２次的な燃焼が行われて未燃分が完全に燃焼する。本実施の形態においては、排ガス又は排ガスと空気の混合気体を主燃焼室に吹き込むノズル１５を、主煙道部に設けている。
【００４５】
このようにすることにより、この部分での温度と酸素濃度を下げ、ダスト中のＮ分のＮＯｘへの転換を抑制することができる。
【００４６】
図５は、以上の各実施の形態において、空気と排ガスの混合ガスを生成して炉内に吹き込む装置の構成を示した概要図である。
【００４７】
廃棄物焼却炉２１の廃熱ボイラ１３から排出された排ガスは、集塵機２２を通ったあと、誘引ファン２３により誘引され、煙突２４から放出される。誘引ファン２３の出側の排ガスを取り出し、混合装置２５により空気と排ガスを混合する。そして、この混合気体を前述のように、送気ファン２６により、ノズル１５から炉内に吹き込む。排ガス中の酸素の濃度が十分高い場合は、空気と混合せずに排ガスのみを吹き込むようにしてもよい。
【００４８】
【発明の効果】
以上説明したように、本発明によれば、炉内に排ガスを循環して吹き込む火格子式廃棄物焼却炉において、安定な燃焼を行わせ、ＮＯｘの発生を抑制することができる廃棄物焼却炉を提供することができる。
【図面の簡単な説明】
【図１】本発明の第１の実施の形態を示す概要図である。
【図２】本発明の第２の実施の形態を示す概要図である。
【図３】本発明の第３の実施の形態を示す概要図である。
【図４】本発明の第４の実施の形態を示す概要図である。
【図５】排ガスと空気の混合気体を作る装置の構成を示す概要図である。
【図６】従来の廃棄物焼却炉の概要図である。
【符号の説明】
１：ホッパ
２：ごみ
３：乾燥ストーカ
４：燃焼ストーカ
５：後燃焼ストーカ
６：主灰シュート
７：主燃焼室
８：中間天井
９：主煙道
１０：副煙道
１１：２次燃焼室
１３：廃熱ボイラ
１４：火炎
１５：ノズル
２１：廃棄物焼却炉
２２：集塵機
２３：誘引ファン
２４：煙突
２５：混合装置
【図１】
2004077087.tif 000003
【図２】
2004077087.tif 000004
【図３】
2004077087.tif 000005
【図４】
2004077087.tif 000006
【図５】
2004077087.tif 000007
【図６】
2004077087.tif 000008